(57)【要約】【課題】パウダーの外部漏出損失を防止し、パウダー容器やパウダー容器が収容される鞄の内部及びその周辺の物品に付いて汚染させることを防止する化粧用パウダー容器を提供する。【解決手段】パウダーを収容する収容空間が一側に開放するよう形成された容器本体の上端に装着支持され、パウダー塗布空間が設けられ、底にはパウダー排出手段が備えられ、パウダー排出手段が密封段差部によって底上面から一定の深さだけ離隔して形成された中間キャップと、中間キャップの上面に密着して支持される環状密閉突起が突設された蓋と、中間キャップに形成されたパウダー排出手段の外側上面に密着して支持される環状密閉突起が形成され、環状密閉突起の内側下部に密封段差部に結合されてパウダー排出手段を遮断する密封端部が一体的に備えられた密封キャップと、容器本体の底に形成され、パウダー充填の後、充填キャップによって密封結合されるようにする充填孔を含む。【選択図】図４
2013545578.tif 000002
【特許請求の範囲】
【請求項１】
化粧材料であるパウダーを収容する収容空間が一側に開放するように形成された容器本体と、
前記容器本体の上端に装着支持され、化粧道具を用いてパウダーを付けるためのパウダー塗布空間が設けられ、底には容器本体の収容空間に保存されたパウダーを排出させるための伸縮性網紗タイプまたは多数の孔タイプのパウダー排出手段が備えられ、前記パウダー排出手段が密封段差部によって底上面から一定の深さだけ離隔して形成された中間キャップと、
前記中間キャップを密閉させるために容器本体の上部に開閉可能に結合され、内周面に前記中間キャップの上面に密着して支持される環状密閉突起が突設された蓋と、
前記蓋の内部に形成された結合リブに一体的に組み立てられ、底下面には、前記蓋の閉鎖操作の際、中間キャップに形成されたパウダー排出手段の外側上面に密着して支持される環状密閉突起が形成され、この環状密閉突起の内側下部には密封段差部に結合されて前記パウダー排出手段を遮断するための密封端部が一体的に備えられた密封キャップと、
を含んでなることを特徴とする、化粧用パウダー容器。
【請求項２】
前記蓋の結合リブに結合される密封キャップは、密封端部の上端に結合リブが延設され、これが前記蓋の結合リブの内側または外側にアンダーカット方式で結合支持されるように構成されることを特徴とする、請求項１に記載の化粧用パウダー容器。
【請求項３】
前記密封キャップの密封端部の側壁は、中間キャップに形成される密封段差部の垂直側壁と互いに垂直に密着支持される垂直側壁の形態に形成されることを特徴とする、請求項１に記載の化粧用パウダー容器。
【請求項４】
前記密封キャップの密封端部側壁は、中間キャップに形成される密封段差部の垂直側壁の上端角部と互いに傾斜状態で密着支持される傾斜側壁の形態に形成されることを特徴とする、請求項１に記載の化粧用パウダー容器。
【請求項５】
前記蓋に備えられる密封キャップの密封端部の底下面には、化粧道具に付いたパウダーを均一に分布させるためのパウダー分布凹部をさらに備えることを特徴とする、請求項１に記載の化粧用パウダー容器。
【請求項６】
化粧材料であるパウダーを収容する収容空間が一側に開放するように形成された容器本体と、
前記容器本体の上端に装着支持され、化粧道具を用いてパウダーを付けるためのパウダー塗布空間が設けられ、底には容器本体の収容空間に保存されたパウダーを排出させるための伸縮性網紗タイプまたは多数の孔タイプのパウダー排出手段が備えられ、前記パウダー排出手段が密封段差部によって底上面から一定の深さだけ離隔して形成された中間キャップと、
前記中間キャップを密閉させるために容器本体の上部に開閉可能に結合され、内周面で前記中間キャップの上面に密着して支持される環状密閉突起が突設された蓋と、
前記蓋の内部に形成された結合リブに一体的に組み立てられ、底下面には、前記蓋の閉鎖操作の際、中間キャップに形成されたパウダー排出手段の外側上面に密着して支持される環状密閉突起が形成され、この環状密閉突起の内側下部には密封段差部に結合されて前記パウダー排出手段を遮断するための密封端部が一体的に備えられた密封キャップと、
前記容器本体の底に形成され、パウダー充填の後、充填キャップによって密封結合されるようにする充填孔と、
を含むことを特徴とする、化粧用パウダー容器。
【請求項７】
前記蓋の結合リブに結合される密封キャップは、密封端部の上端に結合リブが延設され、これが前記蓋の結合リブの内側または外側にアンダーカット方式で結合支持されるように構成されることを特徴とする、請求項６に記載の化粧用パウダー容器。
【請求項８】
前記密封キャップの密封端部の側壁は、中間キャップに形成される密封段差部の垂直側壁と互いに垂直に密着支持される垂直側壁の形態に形成されることを特徴とする、請求項６に記載の化粧用パウダー容器。
【請求項９】
前記密封キャップの密封端部の側壁は、中間キャップに形成される密封段差部の垂直側壁の上端角部と互いに傾斜状態で密着支持される傾斜側壁の形態に形成されることを特徴とする、請求項６に記載の化粧用パウダー容器。
【請求項１０】
前記蓋に備えられる密封キャップの密封端部の底下面には、化粧道具に付いたパウダーを均一に分布させるためのパウダー分布凹部をさらに備えることを特徴とする、請求項６に記載の化粧用パウダー容器。
【請求項１１】
内部収容空間に化粧材料であるパウダーを収納する容器本体と、
前記容器本体の上部に内側に挿入される形態に装着結合され、中央の密封段差部に離隔して備えられる伸縮性網紗タイプのパウダー排出手段が結合され、ブラッシュのような化粧道具で伸縮性網紗を押して収容空間のパウダーを付けて使うようにする中間キャップと、
前記容器本体の上部に開閉可能に結合される蓋と、
を含み、
前記蓋の下部中央に結合リブが形成され、これに密封端部を持つ密封キャップが備えられ、前記蓋の開閉操作の際、密封キャップによって前記中間キャップのパウダー排出手段が遮断または開放するように構成されることを特徴とする、化粧用パウダー容器。
【請求項１２】
前記蓋の結合リブに結合される密封キャップは、密封端部の上端に形成される環状凹溝によって前記結合リブに結合され、前記密封段差部の外側円周上には中間キャップの上端に密着してパウダー排出手段を密閉する環状密閉突起が突設されることを特徴とする、請求項１１に記載の化粧用パウダー容器。
【請求項１３】
前記密封キャップの底面中央には、ブラッシュのような化粧道具に付いた化粧用パウダーを均一に分布させるように化粧道具を当てて回すためのパウダー分布凹部がさらに形成されることを特徴とする、請求項１１に記載の化粧用パウダー容器。
【請求項１４】
前記容器本体の収容空間の底は中央に向かって凹んでいる湾曲面の形態に形成されることを特徴とする、請求項１１に記載の化粧用パウダー容器。
【発明の詳細な説明】
【技術分野】
【０００１】
本発明は化粧材料であるパウダー（Ｐｏｗｄｅｒ）を付けて化粧するのに使われるパフ（Ｐｕｆｆ）や化粧用ブラシ（以下、‘化粧道具’とする）を別に保管する構造を採択しながらも、パウダー容器の携帯保管の際、パウダーを排出させるために、中間キャップに備えられる伸縮性網紗や多数の孔が形成されたタイプのパウダー排出手段を通じてパウダーがパウダー容器の外部に漏出することを防止することで、パウダー容器の堅固な密閉性を確保するとともにパウダーの漏出による損失を防止し、さらにパウダーの漏出によるパウダー容器の外周面やかばんの内部が汚くなることを防止するようにした化粧用パウダー容器に関する。
【背景技術】
【０００２】
一般に、化粧用パウダー（Ｐｏｗｄｅｒ）は顔などの皮膚化粧や湿気除去のために使われる化粧品の一種である。このようなパウダーは、通常、パフ（Ｐｕｆｆ）や化粧用ブラシという化粧道具を用いて化粧するようになる。そして、前記パウダーは、別途の化粧品容器、より具体的には化粧用パウダー容器内に保存され、携帯して使われる。そして、これまで提案されている化粧用パウダー容器によれば、その内部に化粧道具が一体的に収納されて使われる構造が一般的である。
【０００３】
従来に提案されている化粧用パウダー容器の構造例が図１及び図２に例示されている。同図を参照すれば、化粧用パウダー容器１は、パウダーを収納するように一側が開放した形態の容器本体２と、前記容器本体の開放端に螺合される蓋３と、前記容器本体と蓋との間に介装され、化粧のための化粧道具６（図１及び図２には、便宜上パフだけを示す）を収納する中間キャップ４と、前記中間キャップの略中央底にパウダー排出のために形成された網紗５または孔５ａ（以下、‘パウダー排出手段’という）とが形成された構成である。
【０００４】
このように構成された従来の化粧用パウダー容器１は、蓋３を閉めた状態で、パウダー容器そのものを振ることで、容器本体２に収納されたパウダーを中間キャップ４に備えられたパウダー排出手段５、５ａを通じて排出させて化粧道具６に付くようにした後、蓋を開放して化粧道具６に付いたパウダーを用いて化粧をするか、あるいは蓋３を最初から開放した状態で前記方法でパウダーを化粧道具６に付けて化粧する構造である。
【０００５】
そして、化粧が完了すると、中間キャップ４の内部に化粧道具６を収納した後、蓋３を容器本体２に螺合して携帯するようになる。
【発明の概要】
【発明が解決しようとする課題】
【０００６】
しかし、従来の化粧用パウダー容器１の構造によれば、容器本体２に収納されたパウダーを中間キャップ４に直接収納された化粧道具６に付けて使用する構造を採択しており、また中間キャップ４にはパウダーを化粧道具６に付けるためのパウダー排出手段５、５ａとして網紗や排出孔の構造を採択しているため、化粧用パウダー容器１の携帯使用の際、例えば化粧をしないときにも容器本体２の振動や衝撃などの要因によってパウダーが中間キャップ４に形成されたパウダー排出手段５、５ａを通じて化粧道具６の部分に排出されるしかない構造である。
【０００７】
しかし、前記従来の化粧用パウダー容器１の構造によれば、化粧をしない場合、容器本体２からパウダーが中間キャップ４に備えられたパウダー排出手段５、５ａを通じて漏出することを防止するための手段が別に採用されていなく、単に中間キャップ４に収納される化粧道具６や蓋３の結合によってなされているだけなので、パウダー容器の携帯の際、中間キャップ４に形成された網紗または孔の形態のパウダー排出手段５、５ａを遮断するのにはその構造に限界があるしかない。
【０００８】
したがって、従来の化粧用パウダー容器１の構造によれば、化粧用パウダー容器の携帯使用の際、振動などによって容器本体２からパウダー中間キャップ４に形成されたパウダー排出手段５、５ａを通じて自然に排出される現象が酷くなるしかない構造的な限界があり、また中間キャップ４の内部に１次排出されたパウダーが容器本体２の開放端部の外周面に結合された蓋３の螺合部との間に形成される微細な隙間を通じてパウダー容器１の外部に漏出分散される現象が自然に発生するしかなく、前記パウダーの外部漏出は結局パウダーの損失をもたらすのはもちろんのこと、パウダー容器の使用寿命を縮め、またパウダー容器だけでなくその周辺、例えばパウダー容器が収納されるかばんの内部や、かばんに一緒に収納された他の物品に付いて汚染させる結果をもたらすことによって消費者が製品の使用信頼性を大きく喪失することになり、また製品の購買力にも相当な悪影響を及ぼすなどのさまざまな問題を引き起こすようになるものである。
【課題を解決するための手段】
【０００９】
本発明は前記のような従来技術が持つ諸般問題点を解決するためになされたもので、本発明の目的は、化粧道具を別に保管する化粧用パウダー容器構造を採択するとともに、蓋を開閉する動作によって、中間キャップに形成されたパウダー排出手段が前記蓋に備えられた密封キャップによって堅固に密閉または開放するようにすることにより、パウダー容器の携帯使用の際、蓋が開放操作されない限り、パウダー容器の揺れによっても前記中間キャップのパウダー排出手段は密封キャップによっていつも堅固に遮断されているので、パウダーの外部漏出損失をはっきりと防止することができるのはもちろんのこと、パウダー容器そのものまたはパウダー容器が収容されるかばんの内部とその周辺の物品に付いて汚染させることを防止するようにした化粧用パウダー容器を提供することにある。
【発明の効果】
【００１０】
本発明の第１実施例による化粧用パウダー容器によれば、蓋に備えられた密封キャップによって中間キャップに形成されたパウダー排出手段が堅固に遮断されるので、パウダー容器の携帯使用の際、前記パウダー排出手段を通じてのパウダーの外部漏出が防止され、よってパウダーの外部漏出によるパウダーの無駄使いを防止し、また周辺が汚くなることを防止するとともに衛生的で安全に使うことができる著しい利点を提供する。
【００１１】
また、本発明の第１実施例によれば、密封キャップの密封端部側壁が垂直または傾斜状態に備えられることにより、蓋の結合の際、これに形成された環状密閉突起または密封キャップに形成される環状密閉突起が、諸般の作業条件や材料の特性によって多少の密閉偏差が発生しても中間キャップの密封段差部に対する堅固な密閉性を提供するようになる効果がある。
【００１２】
また、本発明の第２実施例による化粧用パウダー容器によれば、容器本体の底に形成された充填孔に対して、パウダー充填が完了した後に充填キャップを自動で密封結合する構造を採択することにより、第１実施例の効果をそのまま有しながらも容器本体に対するパウダー充填作業の自動化が可能となるので、パウダー充填による作業工程の著しい節減、及び人件費などの付帯費用の最小化が可能となる著しい効果を提供するようになる。
【００１３】
また、第３実施例の化粧用パウダー容器においても、蓋の開閉操作と同時に中間キャップに備えられたパウダー排出手段の遮断及び開放がなされることにより、パウダーの漏出を防止するとともに密封キャップの結合構造を簡単にしながらも容器本体の底構造を改善してパウダーの全量使用が可能となるなどの効果を提供する。
【図面の簡単な説明】
【００１４】
【図１】従来の化粧用パウダー容器の構造例を示す組立側断面図である。
【図２】従来の化粧用パウダー容器の構造例を示す組立側断面図である。
【図３】本発明の第１実施例による化粧用パウダー容器の組立構造を示す一部切断斜視図である。
【図４】本発明の第１実施例による化粧用パウダー容器の組立構造を示す側断面図である。
【図５】本発明に用いられるパフ及び化粧用ブラシのような化粧道具の例を示す正面図である。
【図６】本発明の第１実施例による伸縮性網紗形態のパウダー排出手段を備えた中間キャップの平面図及び側断面図である。
【図７】本発明の第１実施例による孔形態のパウダー排出手段を備えた中間キャップの平面図及び側断面図である。
【図８】本発明の第１実施例において、密封キャップの密封端部が垂直側壁の形態となった構成を示す蓋の分解断面図である。
【図９】本発明の第１実施例において、密封キャップの密封端部が傾斜側壁の形態となった構成を示す蓋分解断面図である。
【図１０ａ】本発明の第１実施例による中間キャップの密封段差部に対する密封キャップの垂直結合状態を示す部分拡大断面図である。
【図１０ｂ】本発明の第１実施例による中間キャップの密封段差部に対する密封キャップの傾斜結合状態を示す部分拡大断面図である。
【図１１】本発明の第１実施例による化粧用パウダー容器において、蓋が除去された状態で中間キャップのパウダー排出手段を通じてパウダーを排出させて化粧する状態を示す側断面図である。
【図１２】本発明の第１実施例による化粧用パウダー容器において、蓋が除去された状態で、中間キャップのパウダー排出手段が伸縮性網紗タイプの場合、化粧道具を押してパウダーを付けて化粧する状態を示す側断面図である。
【図１３】本発明の第１実施例による密封キャップの他の実施構造を示す組立断面図である。
【図１４】図１３において、密封キャップの使用状態を示す断面図である。
【図１５】本発明の第２実施例による化粧用パウダー容器の組立構造を示す一部切断斜視図である。
【図１６】本発明の第２実施例による化粧用パウダー容器の組立構造を示す側断面図である。
【図１７】本発明の第３実施例による化粧用パウダー容器の組立構造を示す側断面図である。
【図１８】図１７において“Ａ”部の拡大断面図である。
【図１９】本発明の第３実施例による化粧用パウダー容器の分解断面図である。
【図２０】本発明の第３実施例による中間キャップの底面図である。
【図２１】本発明の第３実施例によるパウダー容器の使用状態を示す断面図である。
【図２２】本発明の第３実施例によるパウダー容器による密封キャップの他の実施構造を示す組立断面図である。
【図２３】図２２による密封キャップの使用状態を示す断面図である。
【発明を実施するための形態】
【００１５】
前記課題を解決するための本発明の各実施例による化粧用パウダー容器は次のような技術的特徴を提供する。
【００１６】
本発明の第１実施例による化粧用パウダー容器は、化粧材料であるパウダーＰを収容する収容空間が一側に開放するように形成された容器本体と、前記容器本体の上端に装着支持され、化粧道具を用いてパウダーを付けるためのパウダー塗布空間が設けられ、底には容器本体の収容空間に保存されたパウダーを排出させるための伸縮性網紗タイプまたは多数の孔タイプのパウダー排出手段が備えられ、前記パウダー排出手段が密封段差部によって底上面から一定の深さだけ離隔して形成された中間キャップと、前記中間キャップを密閉させるために容器本体の上部に開閉可能に結合され、内周面に前記中間キャップの上面に密着して支持される環状密閉突起が突設された蓋と、前記蓋の内部に形成された結合リブに一体的に組み立てられ、底下面には、前記蓋の閉鎖操作の際、中間キャップに形成されたパウダー排出手段の外側上面に密着して支持される環状密閉突起が形成され、この環状密閉突起の内側下部には密封段差部に結合されて前記パウダー排出手段を遮断するための密封端部が一体的に備えられた密封キャップと、を含んでなることを特徴とする。
【００１７】
本発明の第１実施例によれば、前記密封キャップの密封端部の側壁は、中間キャップに形成される密封段差部の垂直側壁と互いに垂直に密着支持される垂直側壁の形態に形成されることを特徴とする。
【００１８】
本発明の第１実施例によれば、前記密封キャップの密封端部の側壁は、中間キャップに形成される密封段差部の垂直側壁の上端角部と互いに傾斜状態で密着支持される傾斜側壁の形態に形成されることを特徴とする。
【００１９】
本発明の第１実施例によれば、前記蓋に一体的に備えられる密封キャップの密封端部の底下面には、化粧道具に付いたパウダーを均一に分布させるためのパウダー分布凹部をさらに備えることを特徴とする。
【００２０】
本発明の第２実施例による化粧用パウダー容器は、第１実施例の化粧用パウダー容器構造において、容器本体の底に形成され、パウダー充填の後、充填キャップによって密封結合されるようにする充填孔をさらに含むことを特徴とする。
【００２１】
本発明の第２実施例によれば、前記密封キャップの密封端部の側壁は、中間キャップに形成される密封段差部の垂直側壁と互いに垂直に密着支持される垂直側壁の形態に形成されることを特徴とする。
【００２２】
本発明の第２実施例によれば、前記密封キャップの密封端部の側壁は、中間キャップに形成される密封段差部の垂直側壁の上端角部と互いに傾斜状態で密着支持される傾斜側壁の形態に形成されることを特徴とする。
【００２３】
本発明の第２実施例によれば、前記蓋に一体的に備えられる密封キャップの密封端部の底下面には、化粧道具に付いたパウダーを均一に分布させるためのパウダー分布凹部をさらに備えることを特徴とする。
【００２４】
本発明の第３実施例の化粧用パウダー容器によれば、内部収容空間に化粧材料であるパウダーを収納する容器本体と、前記容器本体の上部に内側に挿入される形態に装着結合され、中央の密封段差部に離隔して備えられる伸縮性網紗タイプのパウダー排出手段が結合され、ブラッシュのような化粧道具で前記伸縮性網紗を押して収容空間のパウダーを付けて使うようにする中間キャップと、前記容器本体の上部に開閉可能に結合される蓋と、を含んでなり、前記蓋１４０の下部中央に結合リブが形成され、これに密封端部を持つ密封キャップが備えられ、前記蓋の開閉操作の際、密封キャップによって前記中間キャップのパウダー排出手段が遮断または開放するように構成されることを特徴とする。
【００２５】
本発明の第３実施例によれば、前記蓋の結合リブに結合される密封キャップは、密封端部の上端に形成される環状凹溝によって前記結合リブに結合され、前記密封段差部の外側円周上には中間キャップの上端に密着してパウダー排出手段を密閉する環状密閉突起が突設されることを特徴とする。
【００２６】
本発明の第３実施例によれば、前記密封キャップの底面中央には、ブラッシュのような化粧道具に付いた化粧用パウダーを均一に分布させるように化粧道具を当てて回すためのパウダー分布凹部がさらに形成されることを特徴とする。
【００２７】
本発明の第３実施例によれば、前記容器本体の収容空間の底は中央に向かって凹んでいる湾曲面の形態に形成されることを特徴とする。
【００２８】
本発明を実施するための具体的な化粧用パウダー容器１００、２００、３００は、第１〜第３実施例を具体的に例示した添付図面によって充分に理解可能である。そして、本発明に使われる用語は本発明の技術的範囲を解釈するのに差し支えをもたらさない範囲内で多様に使われることができるであろう。
【００２９】
まず、図３〜図１２を参照して、本発明の第１実施例による化粧用パウダー容器１００について具体的に説明する。
【００３０】
図３〜図１２に示すように、第１実施例による化粧用パウダー容器１００は、化粧材料の一つであるパウダーＰを収容する収容空間１１２が一側に開放するように形成された容器本体１１０と、前記容器本体の開放上端に装着支持され、化粧道具１２０を用いてパウダーを付けるためのパウダー塗布空間１３１が設けられ、底には、容器本体の収容空間に保存されたパウダーを排出させるための伸縮性網紗１３２ａタイプまたは多数の孔１３２ｂタイプのパウダー排出手段１３２が備えられ、前記パウダー排出手段１３２は密封段差部１３３によって前記中間キャップ１３０の上部底から一定深さだけ下側に形成された中間キャップ１３０と、前記中間キャップ１３０を密閉させるために容器本体１１０の上部に開閉可能に結合されるとともに内周面に前記中間キャップの上面に密着して支持される環状密閉突起１４１が突設された蓋１４０と、前記蓋の内部に形成された結合リブ１４２に一体的に組み立てられて構成され、また底の下面には、前記蓋の閉鎖操作の際、中間キャップ１３０に形成されたパウダー排出手段１３２の外側上面に密着して支持される環状密閉突起１５１が形成され、この環状密閉突起の内側下部には、密封段差部１３３に結合されて前記パウダー排出手段１３２を遮断するための密封端部１５２が一体的に備えられた密封キャップ１５０と、を含んでなる。
【００３１】
本発明によれば、容器本体１１０に結合される蓋１４０は図面に示すような螺合方式で結合されるように構成されることが好ましいが、その他の結合構造に取り替えられることもできるのはいうまでもない。
【００３２】
そして、本発明によれば、蓋１４０の結合リブ１４２に結合される密封キャップ１５０には多様な結合方式が採用できる。その例として、密封端部１５２の上端にさらに他の結合リブ１５３を延設し、これを前記蓋１４０の結合リブ１４２の内側または外側にアンダーカット方式で結合支持されるように構成することが最も好ましい。
【００３３】
また、前記密封キャップ１５０は蓋１４０に一体的に形成されることもできる。
【００３４】
前記のように構成される第１実施例による化粧用パウダー容器１００を携帯する場合、容器本体１１０の収容空間１１２に収容されたパウダーＰが密封される状態を説明する。
【００３５】
図４のように化粧用パウダー容器１００を組み立てた状態で携帯する場合には、通常容器本体１１０に蓋１４０が一体的に密閉して結合された状態を維持するようになる。そして、前記のように蓋１４０の結合によって、中間キャップ１３０に段差状に備えられたパウダー排出手段１３２は密封キャップ１５０の密封端部１５２によって遮断されて密封される。また、蓋１４０の結合の際、中間キャップ１３０とパウダー排出手段１３２は蓋及び密封キャップ１５０に形成された環状密閉突起１４１、１５１によってその対応面がそれぞれ密着して支持される。
【００３６】
したがって、前記第１実施例の化粧用パウダー容器１００によれば、パウダー容器の携帯の際、容器本体１１０の収容空間１１２に収容されたパウダーＰは、蓋１４０に結合された密封キャップ１５０の密封端部１５２によって中間キャップ１３０に備えられたパウダー排出手段１３２が密封されて遮断され、また蓋１４０及び密封キャップ１５０に形成された環状密閉突起１４１、１５１によって中間キャップ１３０及びパウダー排出手段１３２の外側上面が再び密閉されるので、蓋１４０が人為的に開放されない限り、容器本体１１０の収容空間１１２からのパウダーＰの漏出が防止できるものであり、このような理由で化粧用パウダー容器の衛生的な携帯使用が可能となるものである。
【００３７】
一方、本発明の第１実施例による化粧用パウダー容器によれば、中間キャップ１３０のパウダー排出手段１３２は一層堅固な密閉力を維持することができる。このような点は図１０ａ及び図１０ｂにさらに詳細に示されている。
【００３８】
図１０ａに示すように、中間キャップ１３０のパウダー排出手段１３２を密封する具体的な手段として、密封キャップ１５０の密封端部１５２の側壁を、中間キャップに形成される密封段差部１３３の垂直側壁１３４と互いに垂直に密着して支持される垂直側壁１５２ａの形態に構成することによって達成できる。この場合、密封段差部１３３の垂直側壁１３４の内径と密封キャップ１５０の密封端部１５２に形成された垂直側壁１５２ａの外径が同一であるように構成されることが好ましい。このように構成することにより、蓋１４０の結合の際、パウダー排出手段１３２を密閉する密封キャップ１５０の密封端部１５２はその垂直側壁１５２ａが前記密封段差部１３３の垂直側壁１３４と互いに垂直に密着して支持されるので、これらの間に隙間を発生させなくてパウダーＰの漏出を一層確かに防止することができるものである。
【００３９】
また、図１０ｂに示すように、中間キャップ１３０のパウダー排出手段１３２を密封する具体的な手段として、密封キャップ１５０の密封端部１５２の側壁を、中間キャップ１３０に形成される密封段差部１３３の垂直側壁１３４の上端角部１３４ａに対して互いに斜めに密着して支持される傾斜側壁１５２ｂの形態に構成することによっても充分に達成されることができる。このように構成することにより、蓋１４０の結合の際、パウダー排出手段１３２を密閉する密封キャップ１５０の密封端部１５２はその傾斜側壁１５２ｂが前記密封段差部１３３の垂直側壁１３４の上端角部１３４ａに斜めに密着して支持されるので、蓋１４０及び密封キャップ１５０に形成される環状密閉突起１４１、１５１の密閉偏差が生じても、密封段差部１３３の上端角部１３４ａとの間に隙間を発生させなくてパウダーＰの漏出を一層確かに防止することができるようになるものである。
【００４０】
一方、前記のようにパウダー容器が組み立てられた状態で、容器本体１１０から蓋１４０を開放した後、容器本体１１０の収容空間１１２に収容されたパウダーＰを排出させて化粧する場合について説明する。このような点は図１１及び図１２から充分に理解可能である。
【００４１】
まず、図１１を参照すれば、容器本体１１０から蓋１４０を開放する。すると、中間キャップ１３０のパウダー排出手段１３２も開放する。すなわち、蓋１４０の分離開放により、これに結合された密封キャップ１５０も分離されるからである。よって、前記密封キャップ１５０が遮断していたパウダー排出手段１３２が開放するようになるものである。この状態で、容器本体１１０を片手で握って緩やかに振ることにより、容器本体１１０の収容空間１１２に収容されたパウダーＰは伸縮性網紗１３２ａタイプまたは孔１３２ｂタイプのパウダー排出手段１３２を通じて中間キャップ１３０の底上に排出される。前記中間キャップの上部に排出されたパウダーをパフや化粧用ブラシのような化粧道具１２０で化粧用パウダーを付けた後に化粧すれば良いものである。前記のように、容器本体を振ってパウダーを排出させて化粧する場合には、パウダー排出手段１３２が孔１３２ｂであることがより好適であろう。
【００４２】
そして、パウダーを排出させる方法には、前述した場合の外に、パフ形態の化粧道具１２０を用いる場合には、中間キャップ１３０のパウダー塗布空間１３１を用い、パウダー排出手段１３２の上部にパフを位置させた後、容器本体１１０を振ってパウダーを排出させる方法もある。
【００４３】
次に、図１２に示すように、パウダー排出手段１３２が伸縮性網紗１３２ａタイプで構成された場合、化粧道具１２０で前記伸縮性網紗１３２ａを押して、容器本体１１０の収容空間１１２に収容されたパウダーＰを付けて化粧する方法もある。特に、伸縮性網紗１３１ａタイプのパウダー排出手段１３２を化粧道具１２０で押圧してパウダーＰを付ける場合には、粉末状のパウダーが良いが、半固体状に圧縮された状態のパウダーの場合にも非常に効果的に用いられることができる。
【００４４】
一方、第１実施例の化粧用パウダー容器１００によれば、図１３に示すように、蓋１４０に結合される密封キャップ１５０の密封端部１５２の底面に、化粧用ブラシ型の化粧道具１２０でパウダーＰを付けて化粧する場合、化粧用ブラシに付いた化粧用パウダーを均一に分布させるためのパウダー分布凹部１５４が窪んでいることもできる。
【００４５】
このように構成することにより、化粧用ブラシ型の化粧道具１２０で化粧する場合、化粧用ブラシに１次に付いたパウダーＰが均一に分布しなかった場合、蓋１４０を図１４のように覆した状態で、片手で握り、他手で握った化粧用ブラシをパウダー分布凹部１５４に当てて回すことにより、化粧用ブラシに不均一に付いたパウダーが再び均一に分布されることにより、化粧を一層迅速で容易に行える利点がある。
【００４６】
次に、図１５及び図１６を参照して、本発明の第２実施例による化粧用パウダー容器２００について説明する。
【００４７】
第２実施例の化粧用パウダー容器を説明するにあたり、第１実施例の化粧用パウダー容器１００と同一の構成は同一符号を付与して説明し、具体的な構成についての説明も重複しなくて便宜上省略する。
【００４８】
第２実施例の化粧用パウダー容器２００は、第１実施例の化粧用パウダー容器１００に比べると、容器本体１１０の底１１１に充填孔１１１ａが形成され、この充填孔を通じて化粧用パウダーＰを充填した後、これを密閉するための充填キャップ１６０が結合された構成を除き同様である。
【００４９】
したがって、第２実施例の化粧用パウダー容器２００においても、パウダー容器の携帯の際、中間キャップ１３０に形成されたパウダー排出手段１３２の密閉、または蓋１４０の開放による諸般作用は第１実施例の化粧用パウダー容器１００と同様である。
【００５０】
そして、第２実施例の化粧用パウダー容器２００によれば、容器本体１１０の底１１１に充填孔１１１ａを形成し、これをパウダー充填後に充填キャップ１６０で塞ぐように構成することで、充填器を用いたパウダー充填作業が自動で行うことができるようになる。よって、パウダー充填による作業工数の節減とともに、最小の作業人員にすることが可能であって人件費の節減効果を提供するようになる。
【００５１】
次に、第３実施例の化粧用パウダー容器３００について図１７〜図２３を参照して説明する。
【００５２】
図１７〜図２３に示すような第３実施例の化粧用パウダー容器３００を説明するにあたり、第１及び第２実施例の化粧用パウダー容器１００、２００と同一ないし類似の構成に対しては同一または類似の符号を付与して説明し、同一の構成に対しては重複説明を避けるために省略することもできる。
【００５３】
第３実施例の化粧用パウダー容器３００を第１及び第２実施例の化粧用パウダー容器１００、２００に比べると、蓋１４０に備えられた密封キャップ１５０を用いた中間キャップ１３０のパウダー排出手段１３２を密閉遮断するか開放する構造が類似しており、蓋１４０に対する密封キャップ１５０の結合構造及び容器本体１１０の底面構造が異なる程度の違いがある。
【００５４】
したがって、第３実施例の化粧用パウダー容器３００を説明するにあたり、第１及び第２実施例の化粧用パウダー容器１００、２００と同一類似の構成に対しては同一図面符号を付与して説明する。
【００５５】
第３実施例による化粧用パウダー容器３００は、内部収容空間１１２に化粧材料であるパウダーＰを収納する容器本体１１０と、前記容器本体の上部内に挿入されるように装着され、中央の密封段差部１３３に形成される伸縮性網紗１３２ａタイプのパウダー排出手段１３２が備えられ、ブラッシュのような化粧道具１２０で前記伸縮性網紗を押すことにより、収容空間１１２に収容されたパウダーＰを付けて使うようにする中間キャップ１３０と、前記容器本体の上部に開閉方式で結合される蓋１４０とから構成され、前記蓋１４０の下部中央には結合リブ１４２を形成し、前記結合リブには、蓋の開閉操作の際、中間キャップ１３０の密封段差部１３３を遮断または開放するための密封キャップ１５０が結合されてなる。
【００５６】
この際、前記蓋の結合リブ１４２に結合される密封キャップ１５０は、前記結合リブ１４２に対応して形成された環状凹溝１５５に挿合され、前記密封キャップ１５０の下部中央には、中間キャップ１３０の密封段差部１３３に結合されて遮断する密封端部１５２と、前記密封端部の外側円周上に突出し、中間キャップの上端に密着してパウダー排出手段１３２を密閉する環状密閉突起１５１とが突設されている。
【００５７】
また、前記密封キャップ１５０の底面中央には、ブラッシュのような化粧道具１２０に一次に付いた内容物を均一にさらに分布させるために、化粧道具を当てて回すためのパウダー分布凹部１５４が形成されている。
【００５８】
そして、前記容器本体１１０の収容空間１１２の底１１１は中央に向かって窪んでいる湾曲面１１１ｂを形成して、内容物が内部中央に集まるように構成し、前記中間キャップ１３０の内部角部も、内容物の滞積現象を防止するために、ラウンド形状に構成されることが好ましい。
【００５９】
前記のように構成される第３実施例の化粧用パウダー容器３００の作動及び作用について説明する。
【００６０】
まず、容器本体１１０の収容空間１１２にパウダーＰを収納し、前記容器本体の上部中央に形成された密封段差部１３３に形成された伸縮性網紗１３２ａタイプのパウダー排出手段１３２が結合された中間キャップ１３０を容器本体の内部に挿入して装着する。そして、前記容器本体１１０の上部に蓋１４０を螺合するようになるものである。前記蓋１４０の結合により、これに備えられた密封キャップ１５０は、密封端部１５２が中間キャップ１３０の密封段差部１３３に挿入されて、これに備えられたパウダー排出手段１３２を遮断するとともに前記密封段差部１３３の外側に備えられた環状密閉突起１５１が中間キャップ１３０の上端に密着する構造によって、容器本体の内部に収容されたパウダーＰの漏出を防止するように密閉されるものである。
【００６１】
したがって、前記のように第３実施例の化粧用パウダー容器３００は、中間キャップ１３０の密封段差部１３３に形成されたパウダー排出手段１３２が蓋１４０に備えられた密封キャップ１５０によって堅固に密閉されて遮断されることにより、パウダー容器の携帯の際、パウダーＰの外部漏出が遮断されて、パウダーの損失を防止するとともにパウダーの漏出による汚染を防止することができるものである。
【００６２】
一方、化粧用パウダー容器３００の蓋１４０を容器本体１１０から開放して化粧しようとする場合には、前記蓋１４０の開放操作の際、中間キャップ１３０の密封段差部１３３に形成されたパウダー排出手段１３２も開放する。よって、化粧用ブラシ型の化粧道具１２０を中間キャップ１３０に形成された伸縮性網紗１３２ａタイプのパウダー排出手段１３２に対して弾力的に押して、容器本体１１０の内部収容空間１１２に収納されたパウダーＰを付けて使うようになるものである。この際、パウダーは粉末または粉末が圧縮された形態のものであっても良い。
【００６３】
この際、前記ブラッシュのような化粧道具１２０に化粧用パウダーが均一に付いていない場合、前記化粧道具を蓋の密封キャップ１５０に形成されたパウダー分布凹部１５４に当てて回すことで、化粧道具の内容物を再び均一に付けることができるので、化粧をより迅速で均一に行うことができる。
【００６４】
また、前記容器本体１１０は、収容空間１１２の底１１１が中央に向かって凹んでいる湾曲面１１１ｂが形成されることで、化粧用パウダーが底の内部中央に自然に集まるので、化粧用パウダーを残物なしに全量使うことができるものである。
【００６５】
上記のように構成される本発明による第１、第２及び第３実施例の化粧用パウダー容器１００、２００、３００の構造によれば、パウダー容器の携帯の際には、蓋１４０に備えられた密封キャップ１５０によって、化粧用パウダーが排出される伸縮性網紗タイプまたは孔タイプのパウダー排出手段１３２が堅固に密閉されることで、パウダーの外部漏出が防止され、パウダーの損失を防止することができ、また衛生的に携帯することが可能となり、また化粧の際には蓋１４０を容器本体１１０から開放することで、密閉状態のパウダー排出手段１３２が開放されることにより、パウダー化粧をより迅速で便利に行うことができるものである。
【００６６】
以上、本発明を添付図面に基づいて説明したが、本発明はこれに限定されるものではなく、下記の特許請求範囲を逸脱しない範囲内で多くの修正及び変更が可能であり、このような変更は本発明の技術範囲内にあることはいうまでもない。
【符号の説明】
【００６７】
１００、２００、３００    化粧用パウダー容器
１１０    容器本体
１１１    容器本体の底
１１１ａ    充填孔
１１１ｂ    湾曲面
１１２    収容空間
１２０    化粧道具
１３０    中間キャップ
１３１    パウダー塗布空間
１３２    パウダー排出手段
１３２ａ    伸縮性網紗タイプのパウダー排出手段
１３２ｂ    孔タイプのパウダー排出手段
１３３    密封段差部
１３４、１５２ａ    垂直側壁
１４０    蓋
１４１、１５１    環状密閉突起
１４２、１５３    結合リブ
１５０    密封キャップ
１５２    密封端部
１５２ｂ    傾斜側壁
１５４    パウダー分布凹部
１５５    環状凹溝
１６０    充填キャップ
【図１】
2013545578.tif 000003
【図２】
2013545578.tif 000004
【図３】
2013545578.tif 000005
【図４】
2013545578.tif 000006
【図５（ａ）】
2013545578.tif 000007
【図５（ｂ）】
2013545578.tif 000008
【図６（ａ）】
2013545578.tif 000009
【図６（ｂ）】
2013545578.tif 000010
【図７（ａ）】
2013545578.tif 000011
【図７（ｂ）】
2013545578.tif 000012
【図８】
2013545578.tif 000013
【図９】
2013545578.tif 000014
【図１０ａ】
2013545578.tif 000015
【図１０ｂ】
2013545578.tif 000016
【図１１】
2013545578.tif 000017
【図１２】
2013545578.tif 000018
【図１３】
2013545578.tif 000019
【図１４】
2013545578.tif 000020
【図１５】
2013545578.tif 000021
【図１６】
2013545578.tif 000022
【図１７】
2013545578.tif 000023
【図１８】
2013545578.tif 000024
【図１９】
2013545578.tif 000025
【図２０】
2013545578.tif 000026
【図２１】
2013545578.tif 000027
【図２２】
2013545578.tif 000028
【図２３】
2013545578.tif 000029
【国際調査報告】
2013545578.tif 000030
2013545578.tif 000031
2013545578.tif 000032
2013545578.tif 000033